(57)【要約】      （修正有）【課題】装飾効果によって眼鏡フレームのデザイン性を高めつつも、シンプルなデザイン性を実現でき、さりげない装飾体の存在をアピールできる眼鏡フレームを提供する。【解決手段】眼鏡のフロントフレーム１１部分に、アクセントとして宝石、貴金属及び七宝焼きを含む装飾体１８を取り付けた構成としてある。フロントフレーム１１を、アセテート、チタン又はウッドのいずれかで形成し、フロントフレーム１１及びテンプル１４を含む眼鏡フレーム１の構成部材の少なくとも一部をＰＰＳＵで形成してもよい。装飾体１８は、ローズクォーツなどのクォーツ、アメジスト、メノウ及びタイガーアイを含むパワーストーンとしてもよい。【選択図】図１
0003218355.tif 000002
【実用新案登録請求の範囲】
【請求項１】
眼鏡のフロントフレーム部分に、アクセントとして宝石、貴金属及び七宝焼きを含む装飾体を取り付けたことを特徴とする眼鏡フレーム。
【請求項２】
前記フロントフレームが、アセテート、チタン又はウッドのいずれかで形成されていることを特徴とする請求項１に記載の眼鏡フレーム。
【請求項３】
前記フロントフレーム及びテンプルを含む眼鏡フレームの構成部材の少なくとも一部がＰＰＳＵで形成されていることを特徴とする請求項１又は２に記載の眼鏡フレーム。
【請求項４】
前記装飾体が、ローズクォーツなどのクォーツ、アメジスト、メノウ及びタイガーアイを含むパワーストーンであることを特徴とする請求項１〜３のいずれかに記載の眼鏡フレーム。
【請求項５】
前記装飾体を、前記フロントフレームの智に設けたことを特徴とする請求項１〜４のいずれかに記載の眼鏡フレーム。
【請求項６】
前記テンプルが、水平面内で湾曲方向の向きが異なる波形の三本の棒材を上下に配置して形成されているとともに、前記三本の棒材は、上下方向の真ん中に配置された第一の波形部材とその上下に配置された二つの第二の波形部材とを有し、かつ、上下に配置された前記第二の波形部材は、先端側から後端側に向かうに従って上方又は下方に湾曲する弧状に形成されていることを特徴とする請求項１〜５のいずれかに記載の眼鏡フレーム。
【考案の詳細な説明】
【技術分野】
【０００１】
本考案は、フロントフレームにアクセントとしてパワーストーンなどの装飾体を取り付けた眼鏡フレームに関する。
【背景技術】
【０００２】
デザイン性を高めたり高級感を与えたりするために、宝石、貴金属、七宝焼きなどの装飾体をテンプル、智、リム、フロントフレームなどに取り付けた眼鏡フレームが知られている（例えば、特許文献１，２参照）。
【先行技術文献】
【特許文献】
【０００３】
【特許文献１】特開２００２−２５８２２１号公報
【特許文献２】実開平６−４０９２５号公報
【特許文献３】実登録３０７９０８６号公報
【考案の開示】
【考案が解決しようとする課題】
【０００４】
また、血行の増進、凝りや痛みの緩和などに有効であるとされるトルマリンやゲルマニウムなどの鉱物を取り付けた眼鏡フレームも知られている（例えば特許文献３参照）。この眼鏡フレームは、耳当て部や鼻当て部などの目立たないところに前記鉱物を埋め込んだもので、近年の眼鏡装用者の好みの多様化や流行によるシンプルなデザインの眼鏡フレームに対応させたものである。
【０００５】
しかし、宝石、貴金属、七宝焼きなどの装飾体は、本来的に眼鏡フレームの外観に出現させて眼鏡フレームのデザイン性を高めるためのものであるが特許文献１，２のような取付方であると、近年のシンプルなデザインの傾向に逆行することになる一方で、特許文献３に記載のような取付方だと前記装飾体が目立たず、デザイン性を高めるという目的を達成できないという問題がある。
【０００６】
本考案は上記した問題点に鑑みてなされたもので、装飾効果によって眼鏡フレームのデザイン性を高めつつも、シンプルなデザイン性を実現でき、さりげない装飾体の存在をアピールできる眼鏡フレームの提供を目的とする。
【課題を解決するための手段】
【０００７】
本考案の目的を達成するための眼鏡フレームは、請求項１に記載するように、眼鏡のフロントフレーム部分に、アクセントとして宝石、貴金属及び七宝焼きを含む装飾体を取り付けた構成としてある。請求項２に記載するように、前記フロントフレームは、アセテート、チタン又はウッドのいずれかで形成してもよく請求項３に記載するように、前記フロントフレーム及びテンプルを含む眼鏡フレームの構成部材の少なくとも一部をＰＰＳＵで形成してもよい。
また、前記装飾体は、ローズクォーツなどのクォーツ、アメジスト、メノウ及びタイガーアイを含むパワーストーンとしてもよいこのような装飾体は、請求項５に記載するように、前記フロントフレームの智に設けるとよい。
また、請求項６に記載するように、前記テンプルが、水平面内で湾曲方向の向きが異なる波形の三本の棒材を上下に配置して形成されているとともに、前記三本の棒材は、上下方向の真ん中に配置された第一の波形部材とその上下に配置された二つの第二の波形部材とを有し、かつ、上下に配置された前記第二の波形部材は、先端側から後端側に向かうに従って上方又は下方に湾曲する弧状に形成してもよい。
【０００８】
本考案によれば、眼鏡フレームのフロント部分にアクセント程度に装飾体を取り付けることで、シンプルなデザインの中にも装飾体をさりげなくアピールしつつ、眼鏡フレームのデザイン性を高めることができる。特に、前記装飾体として、気を高める効果があるとされるパワーストーンを前記フロントフレームに埋め込むことで、装飾効果の他に健康等の効果も高めることができる。
【考案を実施するための最良の形態】
【０００９】
以下、本考案の眼鏡フレームの好適な実施形態を、図面を参照しつつ詳細に説明する。
図１は、本考案の眼鏡フレームの一実施形態にかかる斜視図、図２（ａ）は眼鏡フレームの正面図、（ｂ）はフロントフレームとテンプルとを分解した状態の右側面図、（ｃ）は（ｂ）の平面図、図３（ａ）は、眼鏡フレームの平面図、（ｂ）は（ａ）のＩ−Ｉ断面図、（ｃ）は（ｂ）のII方向矢視図、（ｄ）は（ｂ）のIII方向矢視図である。
【００１０】
この実施形態の眼鏡フレーム１は、左右のレンズを保持するフロントフレーム１１と、このフロントフレーム１１の両端の智１２に、ヒンジ１３を介して折り畳み自在に取り付けられたテンプル１４とを有している。テンプル１４の後端には、芯金１５によってモダン１６が取り付けられている。
この実施形態において装飾体１８は、フロントフレーム１１の左右両端の智１２が設けられた部分に取り付けられている。装飾体１８としては、ローズクォーツなどのクォーツ、アメジスト、メノウ及びタイガーアイを含むパワーストーンを用いることができる。智１２には、ヒンジ１３を取り付けるための金具が露出することがあるが、装飾体１８を智１２に取り付けることで、この金具を隠すことができる。
【００１１】
図２（ａ）に示すように、この実施形態の装飾体１８は正面視して勾玉形に形成されているが、装飾体１８は、智１２に収まるものであり、かつ、目立たないながらもアクセントとして眼鏡フレームの外観を引き立てる大きさと形状とするのがよく、フロントフレーム１１の材質や形状、眼鏡フレーム１の全体的なデザインなどを総合的に勘案して決定するのが好ましい。
【００１２】
この実施形態においてテンプル１４は、水平面内で湾曲の向きが異なる波形の三本の棒材を上下に配置して形成されている。すなわち、図２（ｂ）（ｃ）に示すように、テンプル１４は上下方向の真ん中に配置された第一の波形部材１４ａとその上下に配置された二つの第二の波形部材１４ｂとを有し、第一の波形部材１４ａと二つの第二の波形部材１４ｂとは湾曲方向が互い違いになるように形成されている。そして、第一の波形部材１４ａと第二の波形部材１４ｂとは、これらが交叉する交叉部で連結部材１４ｃによって連結されている。
また、上下に配置された第二の波形部材１４ｂは、先端側から後端側に向かうに従って上下に湾曲し、前記交叉部付近で最大となった後、モダン１６の端部まで緩やかに収束するように形成されている。
このような形状とすることで、テンプル１４の全体に亘って均一な弾性力を生じさせ、眼鏡装着者の頭部にフィットする眼鏡フレーム１を提供することが可能になる。
【００１３】
上記構成のフロントフレーム１１やテンプル１４は、眼鏡フレーム１を形成する公知の材料で形成することができる。
好ましくは、コシがあり弾性復元力に優れるポリフェニルサルホン（ＰＰＳＵ）を用いるとよい。これらの樹脂材料又はこれらの混合物に、曲げ強度を向上させる目的でポリエーテルイミド（ＰＥＩ、例えばＧｅｎｅｒａｌ Ｅｌｅｃｔｒｉｃ社製「ウルテム」（登録商標））を混合してもよい。この場合は、ポリフェニルサルホン（ＰＰＳＵ）５０重量部〜８０重量部に対し、ポリエーテルイミド（ＰＥＩ）を５０重量部〜２０重量部の割合で混合するとよい。
フロントフレーム１１とテンプル１４は異なる材料で形成してもよく、例えばフロントフレーム１１をアセテート、チタン又はウッドで形成し、テンプル１４をＰＰＳＵで形成してもよい。
【００１４】
テンプル１４の先端には、ヒンジ１３を構成する雄形駒部材１３ａが取り付けられている。雄形駒部材１３ａとともにヒンジ１３を構成する雌形駒部材１３ｂは、フロントフレーム１１の智１２の裏面に取り付けられ、雄形駒部材１３ａを雌形駒部材１３ｂに係合させてボルトを挿通させることで、テンプル１４を折り畳み自在に回動させるヒンジ１３が構成される。
【００１５】
上記構成の眼鏡フレーム１においては、装飾効果によって眼鏡フレームのデザイン性を高めつつも、さりげなく装飾体の存在をアピールすることで、シンプルなデザインの中にも眼鏡フレームの個性を引き出すことが可能になる。
【００１６】
本考案は上記の実施形態に限定されない。例えば、装飾体１８としてローズクォーツなどのクォーツ、アメジスト、メノウ及びタイガーアイを含むパワーストーンを例に挙げて説明したが、他の宝石や貴金属その他の装飾体であってもよい。
【図面の簡単な説明】
【００１７】
【図１】本考案の眼鏡フレームの一実施形態にかかる斜視図である。
【図２】図２（ａ）は眼鏡フレームの正面図、（ｂ）はフロントフレームとテンプルとを分解した状態の右側面図、（ｃ）は（ｂ）の平面図である。
【図３】図３（ａ）は、眼鏡フレームの平面図、（ｂ）は（ａ）のＩ−Ｉ断面図、（ｃ）は（ｂ）のII方向矢視図、（ｄ）は（ｂ）のIII方向矢視図である。
【図４Ａ】図１の眼鏡フレームの正面写真である。
【図４Ｂ】図１の眼鏡フレームの背面写真である。
【図４Ｃ】図１の眼鏡フレームの底面写真である。
【図４Ｄ】図１の眼鏡フレームの右側面写真である。
【符号の説明】
【００１８】
１：眼鏡フレーム
１１：フロントフレーム
１２：智
１３：ヒンジ
１３ａ：雄形駒部材
１３ｂ：雌形駒部材
１４：テンプル
１４ａ：第一の波形部材
１４ｂ：第二の波形部材
１５：心金
１６：モダン
１８：装飾体
【図１】
0003218355.tif 000003
【図２】
0003218355.tif 000004
【図３】
0003218355.tif 000005
【図４Ａ】
0003218355.tif 000006
【図４Ｂ】
0003218355.tif 000007
【図４Ｃ】
0003218355.tif 000008
【図４Ｄ】
0003218355.tif 000009